【手続補正書】
【提出日】平成19年10月17日(2007.10.17)
【手続補正１】
【補正対象書類名】明細書
【補正対象項目名】発明の名称
【補正方法】変更
【補正の内容】
【発明の名称】撮像装置
【手続補正２】
【補正対象書類名】明細書
【補正対象項目名】特許請求の範囲
【補正方法】変更
【補正の内容】
【特許請求の範囲】
【請求項１】  撮影画像を記憶媒体に格納する撮像装置であって、
外部制御装置からのコマンドを受信する受信手段と、
前記撮像装置を操作するのに用いられる操作手段と、
前記外部制御装置からのコマンド、又は、前記操作手段に対する操作に従って前記撮像装置を制御する制御手段とを有し、
前記外部制御装置からのコマンドに従って前記操作手段に対する操作を無効にした場合、前記制御手段は、前記外部制御装置からのコマンドに従って前記操作手段に対する操作を有効にするまで、前記操作手段に対する操作を無効にすることを特徴とする撮像装置。
【請求項２】  前記撮像装置が前記操作手段に対する操作に従って所定の処理を実行している場合、前記制御手段は、前記外部制御装置からのコマンドが前記撮像装置の操作手段に対する操作を無効にするのに必要なコマンドであっても、前記所定の処理を停止しないようにするとともに、前記操作手段に対する操作を無効にしないようにすることを特徴とする請求項１に記載の撮像装置。
【請求項３】  前記所定の処理は、撮影処理であることを特徴とする請求項２に記載の撮像装置。
【請求項４】  前記外部制御装置からのコマンドに従って前記操作手段に対する操作を無効にした場合において、前記操作手段に対する操作が無効されたことを示す表示をする表示手段をさらに有することを特徴とする請求項１から３のいずれかに記載の撮像装置。
【手続補正３】
【補正対象書類名】明細書
【補正対象項目名】０００１
【補正方法】変更
【補正の内容】
【０００１】
【発明の属する技術分野】
本発明は、撮像装置に関する。
【手続補正４】
【補正対象書類名】明細書
【補正対象項目名】０００４
【補正方法】変更
【補正の内容】
【０００４】
本発明は、外部制御装置からの命令と、撮像装置の操作部からの命令とが競合してしまう問題の発生を防ぐことができる撮像装置を提供することを目的とする。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
【課題を解決するための手段】
本発明に係る撮像装置は、撮影画像を記憶媒体に格納する撮像装置であって、外部制御装置からのコマンドを受信する受信手段と、前記撮像装置を操作するのに用いられる操作手段と、前記外部制御装置からのコマンド、又は、前記操作手段に対する操作に従って前記撮像装置を制御する制御手段とを有し、前記外部制御装置からのコマンドに従って前記操作手段に対する操作を無効にした場合、前記制御手段は、前記外部制御装置からのコマンドに従って前記操作手段に対する操作を有効にするまで、前記操作手段に対する操作を無効にすることを特徴とする。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００６０
【補正方法】変更
【補正の内容】
【００６０】
本実施の形態における電子カメラ２は、処理の競合問題を避けるために、該電子カメラ２のメッセージ処理ルーチンに入力されたコマンドを判定し、それを実行しても良いと判定された場合にのみコマンドが実行される。
【手続補正３２】
【補正対象書類名】明細書
【補正対象項目名】００６１
【補正方法】変更
【補正の内容】
【００６１】
そのため、本実施の形態でのアプリケーションソフトウェアでは、ロック（Ｌｏｃｋ）コマンドがエラーで返ってくることを想定し、ロック（Ｌｏｃｋ）コマンドがエラーで返ってきた場合には、ロック（Ｌｏｃｋ）コマンドを電子カメラ２に対して予め決められた回数だけ自動的に繰り返し発行する。これを図７に示すロック（Ｌｏｃｋ）処理ルーチンの動作の流れを示すフローチャートを用いて説明する。
【手続補正３３】
【補正対象書類名】明細書
【補正対象項目名】００７３
【補正方法】変更
【補正の内容】
【００７３】
図９は、本実施の形態に係る電子カメラ２におけるプライオリティマネージャ処理ルーチンの動作の流れを示すフローチャートである。プライオリティマネージャでは、まず、ステップＳ９０１で、電子カメラ２がコンピュータ１からのコマンドによるロック（Ｌｏｃｋ）中であるか否かを判断する。そして、ステップＳ９０１において、ロック（Ｌｏｃｋ）中ではないと判断された場合には、次のステップＳ９０２へ進んで、現在、電子カメラ２で実行中のコマンドがあるか否かを判断する。そして、実行中のコマンドが無いと判断された場合には、ステップＳ９０６へ進んで、入力コマンドに対する実行可能通知を返した後、本処理ルーチンに戻る。
【手続補正３４】
【補正対象書類名】明細書
【補正対象項目名】００９９
【補正方法】変更
【補正の内容】
【００９９】
【発明の効果】
本発明に係る撮像装置によれば、外部制御装置からの命令と、撮像装置の操作部からの命令とが競合してしまう問題の発生を防ぐことができる。
【手続補正３５】
【補正対象書類名】明細書
【補正対象項目名】０１００
【補正方法】削除
【補正の内容】